【手続補正書】
【提出日】平成19年5月25日(2007.5.25)
【手続補正１】
【補正対象書類名】明細書
【補正対象項目名】特許請求の範囲
【補正方法】変更
【補正の内容】
【特許請求の範囲】
【請求項１】  ＤＴＰ装置で紙面印刷用にレイアウト編集されたデータについて、データ展開・通信手段が、ファイル毎に表示位置を示すＩＤを付与し、
データベースが、前記データを前記ＩＤ毎に記憶し、
データ組立手段が、前記データベースからＩＤが付与されたデータを取り込み、前記ＩＤが示す画面表示位置に前記データを配置する組み立てを行ってウェブ表示画面用にレイアウト編集し、
ウェブサーバが、当該編集された表示画面を、ネットワーク上で閲覧可能に提供することを特徴とする情報提供方法。
【請求項２】  データ差し替え手段が、データベースにＩＤが付与されたデータが入力された場合に、既に同じＩＤのデータが記憶されていると、日付情報に基づいて前記記憶されているデータを前記入力されたデータで更新することを特徴とする請求項１記載の情報提供方法。
【請求項３】  ウェブ表示画面用に組み立てを行う際に、縦組表示変換手段が、縦組表示用に変換することを特徴とする請求項１又は２記載の情報提供方法。
【請求項４】  印刷用レイアウトを編集して作成された編集データをファイル毎に表示位置情報のタグと関連付けてＷｅｂデータとして出力するＤＴＰ装置と、
前記ＤＴＰ装置から入力されたＷｅｂデータについて、ファイル毎に付されたタグに基づいて分解して展開し、ファイル毎にＷｅｂ表示画面における表示位置を示すＩＤを付与して日付情報と共に出力するデータ展開・通信手段と、
前記編集データを前記ＩＤ毎に前記日付情報と共に記憶するデータベースと、
前記データベースからＩＤが付与された編集データを取り込み、前記ＩＤが示す画面表示位置に前記編集データを配置する組み立てを行ってウェブ表示画面用にレイアウト編集するデータ組み立て手段と、
前記編集された表示画面を、ネットワーク上で閲覧可能に提供するウェブサーバとを有することを特徴とする情報提供システム。
【請求項５】  データベースにＩＤが付与されたデータが入力された場合に、既に同じＩＤのデータが記憶されていると、日付情報に基づいて前記記憶されているデータを前記入力されたデータで更新するデータ差し替え手段を備えることを特徴とする請求項４記載の情報提供システム。
【手続補正２】
【補正対象書類名】明細書
【補正対象項目名】０００７
【補正方法】変更
【補正の内容】
【０００７】
【課題を解決するための手段】
上記従来例の問題点を解決する本発明は、情報提供方法において、ＤＴＰ装置で紙面印刷用にレイアウト編集されたデータについて、データ展開・通信手段が、ファイル毎に表示位置を示すＩＤを付与し、データベースが、データを前記ＩＤ毎に記憶し、データ組立手段が、データベースからＩＤが付与されたデータを取り込み、ＩＤが示す画面表示位置に当該データを配置する組み立てを行ってウェブ表示画面用にレイアウト編集し、ウェブサーバが、当該編集された表示画面を、ネットワーク上で閲覧可能に提供することを特徴としており、紙面印刷用にレイアウト編集されたデータを用いてウェブの表示画面を容易に作成できる。
【手続補正３】
【補正対象書類名】明細書
【補正対象項目名】０００８
【補正方法】変更
【補正の内容】
【０００８】
また、本発明は、上記情報提供方法及び上記情報提供システムにおいて、データ差し替え手段が、データベースにＩＤが付与されたデータが入力された場合に、既に同じＩＤのデータが記憶されていると、日付情報に基づいて記憶されているデータを入力されたデータで更新するものであり、データ更新が自動的に為されるものである。
【手続補正４】
【補正対象書類名】明細書
【補正対象項目名】０００９
【補正方法】変更
【補正の内容】
【０００９】
また、本発明は、上記情報提供方法及び上記情報提供システムにおいて、ウェブ表示画面用に組み立てを行う際に、縦組表示変換手段が、縦組表示用に変換するものであり、印刷紙面と同様のスタイルでウェブ表示画面を読者は閲覧できる。
【手続補正５】
【補正対象書類名】明細書
【補正対象項目名】００１０
【補正方法】変更
【補正の内容】
【００１０】
本発明は、情報提供システムにおいて、印刷用レイアウトを編集して作成された編集データをファイル毎に表示位置情報のタグと関連付けてＷｅｂデータとして出力するＤＴＰ装置と、ＤＴＰ装置から入力されたＷｅｂデータについて、ファイル毎に付されたタグに基づいて分解して展開し、ファイル毎にＷｅｂ表示画面における表示位置を示すＩＤを付与して日付情報と共に出力するデータ展開・通信手段と、編集データをＩＤ毎に日付情報と共に記憶するデータベースと、データベースからＩＤが付与された編集データを取り込み、前記ＩＤが示す画面表示位置に前記編集データを配置する組み立てを行ってウェブ表示画面用にレイアウト編集するデータ組み立て手段と、編集された表示画面を、ネットワーク上で閲覧可能に提供するウェブサーバとを有することを特徴としており、印刷用にレイアウト編集されたデータを用いてウェブの表示画面を容易に作成できる。
【手続補正６】
【補正対象書類名】明細書
【補正対象項目名】００３４
【補正方法】変更
【補正の内容】
【００３４】
【発明の効果】
本発明によれば、ＤＴＰ装置で紙面印刷用にレイアウト編集されたデータについて、データ展開・通信手段が、ファイル毎に表示位置を示すＩＤを付与し、データベースが、データを前記ＩＤ毎に記憶し、データ組立手段が、データベースからＩＤが付与されたデータを取り込み、ＩＤが示す画面表示位置に当該データを配置する組み立てを行ってウェブ表示画面用にレイアウト編集し、ウェブサーバが、当該編集された表示画面を、ネットワーク上で閲覧可能に提供する情報提供方法としているので、紙面印刷用にレイアウト編集されたデータを用いてウェブの表示画面を容易に作成できる効果がある。
【手続補正７】
【補正対象書類名】明細書
【補正対象項目名】００３５
【補正方法】変更
【補正の内容】
【００３５】
本発明によれば、データ差し替え手段が、データベースにＩＤが付与されたデータが入力された場合に、既に同じＩＤのデータが記憶されていると、日付情報に基づいて記憶されているデータを入力されたデータで更新する情報提供方法及び情報提供システムとしているので、データ更新が自動的に為される効果がある。
【手続補正８】
【補正対象書類名】明細書
【補正対象項目名】００３６
【補正方法】変更
【補正の内容】
【００３６】
本発明によれば、ウェブ表示画面用に組み立てを行う際に、縦組表示変換手段が、縦組表示用に変換する情報提供方法及び情報提供システムとしているので、印刷紙面と同様のスタイルでウェブ表示画面を読者は閲覧できる効果がある。
【手続補正９】
【補正対象書類名】明細書
【補正対象項目名】００３７
【補正方法】変更
【補正の内容】
【００３７】
本発明によれば、印刷用レイアウトを編集して作成された編集データをファイル毎に表示位置情報のタグと関連付けてＷｅｂデータとして出力するＤＴＰ装置と、ＤＴＰ装置から入力されたＷｅｂデータについて、ファイル毎に付されたタグに基づいて分解して展開し、ファイル毎にＷｅｂ表示画面における表示位置を示すＩＤを付与して日付情報と共に出力するデータ展開・通信手段と、編集データをＩＤ毎に日付情報と共に記憶するデータベースと、データベースからＩＤが付与された編集データを取り込み、前記ＩＤが示す画面表示位置に前記編集データを配置する組み立てを行ってウェブ表示画面用にレイアウト編集するデータ組み立て手段と、編集された表示画面を、ネットワーク上で閲覧可能に提供するウェブサーバとを有する情報提供システムとしているので、印刷用にレイアウト編集されたデータを用いてウェブの表示画面を容易に作成できる効果がある。